(57)【特許請求の範囲】
【請求項１】
複数の操作者の各操作者が操作する端末装置を、当該各操作者に関連付けて、自装置又は他の装置に登録する登録手段と、
特定の操作者による処理の指示に応じて、当該特定の操作者に関連付けて登録された特定の端末装置と近距離通信を行うことにより、当該処理を行う処理手段と
を備え、
前記登録手段は、近距離通信による要求に応答した複数の端末装置の中から前記複数の操作者の各操作者が選択した端末装置を、自装置に表示した登録確認情報と当該端末装置に入力された登録確認情報とが一致すれば、当該各操作者に関連付けて登録することを特徴とする情報処理装置。
【請求項２】
前記処理手段は、前記特定の操作者による処理の指示に応じて、近距離通信による要求に応答した複数の端末装置の中に前記特定の端末装置が存在すれば、当該特定の端末装置と近距離通信を行うことにより、当該処理を行うことを特徴とする請求項１に記載の情報処理装置。
【請求項３】
前記登録手段は、前記複数の操作者の各操作者が操作する二以上の端末装置を、当該各操作者に関連付けて登録し、
前記処理手段は、前記特定の操作者による処理の指示に応じて、近距離通信による要求に応答した複数の端末装置の中に前記二以上の端末装置が存在すれば、当該二以上の端末装置のうち自装置の最も近くに存在することを示す条件を満たす一の端末装置と近距離通信を行うことにより、当該処理を行うことを特徴とする請求項１に記載の情報処理装置。
【請求項４】
前記登録手段は、前記複数の操作者の各操作者が操作する端末装置を識別する装置識別情報を、当該各操作者を識別する操作者識別情報に関連付けた関連付け情報を、自装置又は他の装置に登録し、
前記処理手段は、前記特定の操作者による前記処理の指示に応じて、当該特定の操作者を識別する特定の操作者識別情報に前記関連付け情報で関連付けられた特定の装置識別情報により識別される前記特定の端末装置と近距離通信を行うことにより、当該処理を行うことを特徴とする請求項１に記載の情報処理装置。
【請求項５】
複数の操作者の各操作者が操作する端末装置を、当該各操作者に関連付けて、自装置又は他の装置に登録する登録手段と、
特定の操作者による画像処理の指示に応じて、当該画像処理を行う画像処理手段と、
前記画像処理で得られた画像データを前記特定の操作者に関連付けて登録された特定の端末装置に近距離通信で送信する処理、及び、前記画像処理で用いられる画像データを前記特定の操作者に関連付けて登録された特定の端末装置から近距離通信で受信する処理の少なくともいずれか一方を行う処理手段と
を備え、
前記登録手段は、近距離通信による要求に応答した複数の端末装置の中から前記複数の操作者の各操作者が選択した端末装置を、自装置に表示した登録確認情報と当該端末装置に入力された登録確認情報とが一致すれば、当該各操作者に関連付けて登録することを特徴とする画像処理装置。
【請求項６】
コンピュータに、
複数の操作者の各操作者が操作する端末装置を、当該各操作者に関連付けて、自装置又は他の装置に登録する機能と、
特定の操作者による処理の指示に応じて、当該特定の操作者に関連付けて登録された特定の端末装置と近距離通信を行うことにより、当該処理を行う機能と
を実現させ、
前記登録する機能は、近距離通信による要求に応答した複数の端末装置の中から前記複数の操作者の各操作者が選択した端末装置を、自装置に表示した登録確認情報と当該端末装置に入力された登録確認情報とが一致すれば、当該各操作者に関連付けて登録するプログラム。
【発明の詳細な説明】
【技術分野】
【０００１】
本発明は、情報処理装置、画像処理装置及びプログラムに関する。
【背景技術】
【０００２】
携帯端末装置から情報管理サーバ装置を経由する電子機器への間接アクセスの要求を受信した場合に、機器情報テーブルを参照することによってその電子機器へのアクセスが可能な携帯端末装置からの要求であるか否かを判別すると共に、端末情報テーブルを参照することによってその端末使用が許可されている携帯端末装置からの要求であるか否かを判別し、電子機器へのアクセスが可能な携帯端末装置からの要求であり、かつ端末使用が許可されている携帯端末装置からの要求であると判別された場合に、電子機器の機器用認証情報をその要求元の携帯端末装置に対して送信する情報管理サーバ装置は知られている（例えば、特許文献１参照）。
【０００３】
アクセス対象の外部機器との対応付け時に、その対応付けに合わせて情報管理サーバ装置に接続し、外部機器との対応付け情報の保管を依頼し、その後の外部機器のアクセス時に、情報管理サーバ装置に対して対応付け情報の送信を要求し、その要求に応じて、情報管理サーバ装置側でその要求元を認証する処理の実行によって正規な要求元であることが認証されたことを条件に情報管理サーバ装置から送信される対応付け情報を受信して外部機器に距離無線で送信する携帯端末装置も知られている（例えば、特許文献２参照）。
【先行技術文献】
【特許文献】
【０００４】
【特許文献１】特開２０１４−１５３７４１号公報
【特許文献２】特開２０１４−１７８８４５号公報
【発明の概要】
【発明が解決しようとする課題】
【０００５】
ここで、端末装置と近距離通信を行うことにより処理を行う情報処理装置においては、操作者による処理の指示に応じて近距離通信を行う端末装置を操作者に特定させる構成を採用することが考えられる。しかしながら、そのような構成を採用した場合は、操作者により処理が指示された際に近距離通信を行う端末装置を特定するのに手間がかかる。
【０００６】
本発明の目的は、操作者による処理の指示に応じて近距離通信を行う端末装置を操作者に特定させるよう構成された場合に比較して、操作者により処理が指示された際に近距離通信を行う端末装置を特定するのにかかる手間を軽減させることにある。
【課題を解決するための手段】
【０００７】
請求項１に記載の発明は、複数の操作者の各操作者が操作する端末装置を、当該各操作者に関連付けて、自装置又は他の装置に登録する登録手段と、特定の操作者による処理の指示に応じて、当該特定の操作者に関連付けて登録された特定の端末装置と近距離通信を行うことにより、当該処理を行う処理手段とを備え、前記登録手段は、近距離通信による要求に応答した複数の端末装置の中から前記複数の操作者の各操作者が選択した端末装置を、自装置に表示した登録確認情報と当該端末装置に入力された登録確認情報とが一致すれば、当該各操作者に関連付けて登録することを特徴とする情報処理装置である。
請求項２に記載の発明は、前記処理手段は、前記特定の操作者による処理の指示に応じて、近距離通信による要求に応答した複数の端末装置の中に前記特定の端末装置が存在すれば、当該特定の端末装置と近距離通信を行うことにより、当該処理を行うことを特徴とする請求項１に記載の情報処理装置である。
請求項３に記載の発明は、前記登録手段は、前記複数の操作者の各操作者が操作する二以上の端末装置を、当該各操作者に関連付けて登録し、前記処理手段は、前記特定の操作者による処理の指示に応じて、近距離通信による要求に応答した複数の端末装置の中に前記二以上の端末装置が存在すれば、当該二以上の端末装置のうち自装置の最も近くに存在することを示す条件を満たす一の端末装置と近距離通信を行うことにより、当該処理を行うことを特徴とする請求項１に記載の情報処理装置である。
請求項４に記載の発明は、前記登録手段は、前記複数の操作者の各操作者が操作する端末装置を識別する装置識別情報を、当該各操作者を識別する操作者識別情報に関連付けた関連付け情報を、自装置又は他の装置に登録し、前記処理手段は、前記特定の操作者による前記処理の指示に応じて、当該特定の操作者を識別する特定の操作者識別情報に前記関連付け情報で関連付けられた特定の装置識別情報により識別される前記特定の端末装置と近距離通信を行うことにより、当該処理を行うことを特徴とする請求項１に記載の情報処理装置である。
請求項５に記載の発明は、複数の操作者の各操作者が操作する端末装置を、当該各操作者に関連付けて、自装置又は他の装置に登録する登録手段と、特定の操作者による画像処理の指示に応じて、当該画像処理を行う画像処理手段と、前記画像処理で得られた画像データを前記特定の操作者に関連付けて登録された特定の端末装置に近距離通信で送信する処理、及び、前記画像処理で用いられる画像データを前記特定の操作者に関連付けて登録された特定の端末装置から近距離通信で受信する処理の少なくともいずれか一方を行う処理手段とを備え、前記登録手段は、近距離通信による要求に応答した複数の端末装置の中から前記複数の操作者の各操作者が選択した端末装置を、自装置に表示した登録確認情報と当該端末装置に入力された登録確認情報とが一致すれば、当該各操作者に関連付けて登録することを特徴とする画像処理装置である。
請求項６に記載の発明は、コンピュータに、複数の操作者の各操作者が操作する端末装置を、当該各操作者に関連付けて、自装置又は他の装置に登録する機能と、特定の操作者による処理の指示に応じて、当該特定の操作者に関連付けて登録された特定の端末装置と近距離通信を行うことにより、当該処理を行う機能とを実現させ、前記登録する機能は、近距離通信による要求に応答した複数の端末装置の中から前記複数の操作者の各操作者が選択した端末装置を、自装置に表示した登録確認情報と当該端末装置に入力された登録確認情報とが一致すれば、当該各操作者に関連付けて登録するプログラムである。
【発明の効果】
【０００８】
請求項１の発明によれば、近距離通信可能な複数の端末装置が存在する際に、複数の操作者の各操作者が操作する端末装置を、操作者の選択のみによって登録するよう構成された場合に比較して、正しく登録できる可能性が高まる。
請求項２の発明によれば、近距離通信可能な複数の端末装置が存在する際に、操作者による処理の指示に応じて複数の端末装置の中から近距離通信を行う端末装置を操作者に選択させるよう構成された場合に比較して、操作者により処理が指示された際に近距離通信を行う端末装置を選択するのにかかる手間が軽減される。
請求項３の発明によれば、近距離通信可能な複数の端末装置が存在し、複数の操作者の各操作者がそのうちの二以上の端末装置を操作する際に、操作者による処理の指示に応じて複数の端末装置の中から近距離通信を行う端末装置を操作者に選択させるよう構成された場合に比較して、操作者により処理が指示された際に近距離通信を行う端末装置を選択するのにかかる手間が軽減される。
請求項４の発明によれば、操作者による処理の指示に応じて近距離通信を行う端末装置を操作者に特定させるよう構成された場合に比較して、操作者により処理が指示された際に近距離通信を行う端末装置を特定するのにかかる手間が軽減される。
請求項５の発明によれば、近距離通信可能な複数の端末装置が存在する際に、複数の操作者の各操作者が操作する端末装置を、操作者の選択のみによって登録するよう構成された場合に比較して、正しく登録できる可能性が高まる。
請求項６の発明によれば、近距離通信可能な複数の端末装置が存在する際に、複数の操作者の各操作者が操作する端末装置を、操作者の選択のみによって登録するよう構成された場合に比較して、正しく登録できる可能性が高まる。
【図面の簡単な説明】
【０００９】
【図１】本発明の実施の形態が適用される画像読取システムの全体構成例を示した図である。
【図２】本発明の実施の形態における画像読取装置のハードウェア構成例を示した図である。
【図３】本発明の実施の形態における携帯端末のハードウェア構成例を示した図である。
【図４】本発明の実施の形態における認証サーバのハードウェア構成例を示した図である。
【図５】本発明の実施の形態における画像読取装置内の情報処理装置の機能構成例を示したブロック図である。
【図６】本発明の実施の形態における携帯端末内の画像記憶装置の機能構成例を示したブロック図である。
【図７】本発明の実施の形態における認証サーバ内の情報記憶装置の機能構成例を示したブロック図である。
【図８−１】本発明の実施の形態が適用される画像読取システムにおける端末登録時の動作例を示したシーケンス図である。
【図８−２】本発明の実施の形態が適用される画像読取システムにおける端末登録時の動作例を示したシーケンス図である。
【図９】本発明の実施の形態が適用される画像読取システムにおけるスキャン時の動作例を示したシーケンス図である。
【発明を実施するための形態】
【００１０】
以下、添付図面を参照して、本発明の実施の形態について詳細に説明する。
【００１１】
［画像読取システムの全体構成］
図１は、本実施の形態が適用される画像読取システムの全体構成例を示した図である。図示するように、この画像読取システムは、画像読取装置１０と、携帯端末３０ａ〜３０ｃと、認証サーバ５０とを含む。このうち、画像読取装置１０と、携帯端末３０ａ〜３０ｃとは、近距離通信により接続可能となっている。近距離通信としては、例えば、Ｂｌｕｅｔｏｏｔｈ（登録商標） Ｌｏｗ Ｅｎｅｒｇｙ（以下、「ＢＬＥ」という）を用いるとよい。携帯端末３０ａ〜３０ｃは、これらを区別しない場合は、携帯端末３０と称し、その台数は３台には限らないものとする。本実施の形態では、携帯端末３０ａ〜３０ｃを近距離通信エリア内に示したが、例えば、他の携帯端末３０が近距離通信エリア外に存在してもよい。また、画像読取装置１０と、認証サーバ５０とは、通信回線８０を介して接続されている。
【００１２】
画像読取装置１０は、画像が記録された紙等の記録媒体から画像を読み取る（スキャンする）装置である。画像読取装置１０は、上述したように、近距離通信により携帯端末３０と接続可能になっており、スキャンした画像を、スキャンデータとして、携帯端末３０に送信することが可能である。また、画像読取装置１０は、記録媒体から画像を読み取る（スキャンする）スキャナ機能のみを備えたものでもよいが、以下では、記録媒体に画像を形成するプリンタ機能や画像データを送受信するファクシミリ機能も備えたものとする。
【００１３】
携帯端末３０は、画像読取装置１０が送信した画像データを記憶するコンピュータ装置である。即ち、携帯端末３０は、上述したように、近距離通信により画像読取装置１０と接続可能になっており、自端末を一意に識別するための端末識別情報を用いて画像読取装置１０に自端末を認識させる。近距離通信として、例えばＢＬＥを用いる場合は、端末識別情報として、例えばＢＤ（Bluetooth（登録商標） Device）アドレスを用いるとよい。また、携帯端末３０としては、例えば、スマートフォンを用いるとよい。
【００１４】
認証サーバ５０は、ユーザが画像読取装置１０を使用する際にそのユーザを認証するサーバコンピュータである。また、認証サーバ５０としては、例えば、ＰＣ（Personal Computer）を用いるとよい。
【００１５】
通信回線８０は、画像読取装置１０と認証サーバ５０との間の情報通信に用いられる通信手段であり、例えば、インターネットである。
【００１６】
［画像読取装置のハードウェア構成］
図２は、本実施の形態における画像読取装置１０のハードウェア構成例を示した図である。図示するように、画像読取装置１０は、ＣＰＵ（Central Processing Unit）１１と、ＲＡＭ（Random Access Memory）１２と、ＲＯＭ（Read Only Memory）１３と、ＨＤＤ（Hard Disk Drive）１４と、操作パネル１５と、画像読取部１６と、画像形成部１７と、ネットワーク通信インターフェース（以下、「ネットワーク通信Ｉ／Ｆ」と表記する）１８と、近距離通信インターフェース（以下、「近距離通信Ｉ／Ｆ」と表記する）１９とを備える。
【００１７】
ＣＰＵ１１は、ＲＯＭ１３等に記憶された各種プログラムをＲＡＭ１２にロードして実行することにより、後述する各機能を実現する。
【００１８】
ＲＡＭ１２は、ＣＰＵ１１の作業用メモリ等として用いられるメモリである。
【００１９】
ＲＯＭ１３は、ＣＰＵ１１が実行する各種プログラム等を記憶するメモリである。
【００２０】
ＨＤＤ１４は、画像読取部１６が読み取った画像データや画像形成部１７における画像形成にて用いる画像データ等を記憶する例えば磁気ディスク装置である。
【００２１】
操作パネル１５は、各種情報の表示やユーザからの操作入力の受付を行う例えばタッチパネルである。ここで、操作パネル１５は、各種情報が表示されるディスプレイと、指やスタイラスペン等で指示された位置を検出する位置検出シートとからなる。或いは、タッチパネルに代えて、ディスプレイ及びキーボードを用いてもよい。
【００２２】
画像読取部１６は、画像処理手段の一例であり、紙等の記録媒体に記録された画像を読み取る。ここで、画像読取部１６は、例えばスキャナであり、光源から原稿に照射した光に対する反射光をレンズで縮小してＣＣＤ（Charge Coupled Devices）で受光するＣＣＤ方式や、ＬＥＤ光源から原稿に順に照射した光に対する反射光をＣＩＳ（Contact Image Sensor）で受光するＣＩＳ方式のものを用いるとよい。
【００２３】
画像形成部１７は、記録媒体に画像を形成する。ここで、画像形成部１７は、例えばプリンタであり、感光体に付着させたトナーを記録媒体に転写して像を形成する電子写真方式や、インクを記録媒体上に吐出して像を形成するインクジェット方式のものを用いるとよい。
【００２４】
ネットワーク通信Ｉ／Ｆ１８は、通信回線８０を介して他の装置、例えば認証サーバ５０との間で各種情報の送受信を行う。
【００２５】
近距離通信Ｉ／Ｆ１９は、近距離通信（例えば、ＢＬＥ）により携帯端末３０との間で各種情報の送受信を行う。
【００２６】
［携帯端末のハードウェア構成］
図３は、本実施の形態における携帯端末３０のハードウェア構成例を示した図である。図示するように、携帯端末３０は、演算手段であるＣＰＵ３１と、記憶手段であるＲＡＭ３２及びＲＯＭ３３と、各種情報の表示やユーザからの操作入力の受付を行うタッチパネル３４と、マイクロフォン等の音声入力機構３５と、スピーカ等の音声出力機構３６と、近距離通信（例えば、ＢＬＥ）により画像読取装置１０との間で各種情報の送受信を行う近距離通信Ｉ／Ｆ３７とを備える。また、基地局を介して無線通信を行うための無線回路３８及びアンテナ３９を備える。ここで、無線回路３８には、図示しないが、無線で送受信されるデジタルデータの信号処理を行なうベースバンドＬＳＩが含まれるものとする。
【００２７】
［認証サーバのハードウェア構成］
図４は、本実施の形態における認証サーバ５０のハードウェア構成例を示した図である。図示するように、認証サーバ５０は、演算手段であるＣＰＵ５１と、記憶手段であるメインメモリ５２及びＨＤＤ（Hard Disk Drive）５３とを備える。ここで、ＣＰＵ５１は、ＯＳ（Operating System）やアプリケーション等の各種ソフトウェアを実行し、後述する各機能を実現する。また、メインメモリ５２は、各種ソフトウェアやその実行に用いるデータ等を記憶する記憶領域であり、ＨＤＤ５３は、各種ソフトウェアに対する入力データや各種ソフトウェアからの出力データ等を記憶する記憶領域である。更に、認証サーバ５０は、外部との通信を行うための通信Ｉ／Ｆ５４と、ディスプレイ等の表示デバイス５５と、キーボードやマウス等の入力デバイス５６とを備える。
【００２８】
［情報処理装置の機能構成］
図５は、本実施の形態における情報処理装置２０の機能構成例を示したブロック図である。ここで、情報処理装置２０は、画像読取装置１０のＣＰＵ１１（図２参照）が、後述する各機能部を実現するプログラムを例えばＲＯＭ１３（図２参照）からＲＡＭ１２（図２参照）に読み込んで実行することにより、実現される装置として捉えられる。
【００２９】
図示するように、情報処理装置２０は、操作受付部２１と、表示制御部２２と、ネットワーク送信部２３と、ネットワーク受信部２４と、近距離送信部２５と、近距離受信部２６とを備える。また、登録確認情報生成部２７と、登録確認情報比較部２８と、端末識別情報比較部２９と、画像取得部２００とを備える。
【００３０】
操作受付部２１は、ユーザが画像読取装置１０に対して何らかの操作を行うと、その操作を受け付け、各機能部に対し、その操作に応じた処理を指示する。例えば、ユーザが認証情報を入力する操作を行うと、ネットワーク送信部２３に対し、ユーザの認証を要求するため又は携帯端末３０の端末識別情報の取得を要求するために認証サーバ５０に認証情報を送信する処理を指示する。以下、認証情報というときは、ユーザＩＤ及びパスワードを指すものとする。また、ユーザが端末登録画面又はスキャン画面を開く操作を行うと、表示制御部２２に対し、指定された画面を表示する処理を指示すると共に、近距離送信部２５に対し、近距離通信のブロードキャスト通信を行う処理を指示する。更に、ユーザが端末名一覧から登録対象の携帯端末３０の端末名を選択する操作を行うと、登録確認情報生成部２７に対し、登録確認情報（後述）を生成する処理を指示すると共に、近距離送信部２５に対し、選択された端末名の携帯端末３０に登録要求通知を送信する処理を指示する。更にまた、ユーザがスキャンする原稿をセットしてスタートボタンを押下する操作を行うと、画像取得部２００に対し、画像読取部１６により読み取られたスキャンデータを取得する処理を指示する。
【００３１】
表示制御部２２は、操作パネル１５（図２参照）に対する各種情報の表示を制御する。ここで、各種情報としては、携帯端末３０を認証サーバ５０に登録する際に使用される端末登録画面、近距離通信のブロードキャスト通信に対して応答した携帯端末３０の一覧である端末名一覧、登録確認情報生成部２７により生成された登録確認情報（後述）、携帯端末３０の認証サーバ５０への登録完了、スキャンを実行する際に使用されるスキャン画面、スキャンデータの送信先となる携帯端末３０の端末名である送信先端末名等がある。
【００３２】
ネットワーク送信部２３は、認証サーバ５０に対して、各種情報を送信する。ここで、各種情報としては、ユーザの認証を要求するため又は携帯端末３０の端末識別情報の取得を要求するためのユーザの認証情報、携帯端末３０を認証サーバ５０に登録することを要求する端末登録要求等がある。本実施の形態では、端末装置を登録する登録手段の一例として、ネットワーク送信部２３を設けている。
【００３３】
ネットワーク受信部２４は、認証サーバ５０から、各種情報を受信する。ここで、各種情報としては、ユーザの認証を要求した際の認証成功、端末登録要求を送信した際の登録完了、携帯端末３０の端末識別情報の取得を要求した際の認証成功及び端末識別情報等がある。
【００３４】
近距離送信部２５は、携帯端末３０に対して、各種情報を送信する。ここで、各種情報としては、近距離通信のブロードキャスト通信の信号、携帯端末３０の登録が要求されていることを通知する登録要求通知、画像取得部２００により取得されたスキャンデータ等がある。本実施の形態では、画像処理で得られた画像データの一例として、スキャンデータを用いており、端末装置と近距離通信を行うことによる処理又は画像データを端末装置に近距離通信で送信する処理の一例として、携帯端末３０に対するスキャンデータの送信を行っており、処理を行う処理手段の一例として、近距離送信部２５を設けている。また、近距離通信による要求の一例として、近距離通信のブロードキャスト通信を用いている。
【００３５】
近距離受信部２６は、携帯端末３０から、各種情報を受信する。ここで、各種情報としては、携帯端末３０の端末名や端末識別情報、携帯端末３０で入力された登録確認情報（後述）等がある。
【００３６】
登録確認情報生成部２７は、画像読取装置１０が登録対象と認識している携帯端末３０が、ユーザが登録対象と考えている携帯端末３０であるかを、ユーザに確認させるための登録確認情報を生成する。ここで、登録確認情報としては、例えば、携帯端末３０のタッチパネル３４（図３参照）に表示されたソフトウェアキーボードを用いて入力可能な文字列であるＰＩＮコードや、携帯端末３０のタッチパネル３４（図３参照）上の区画をなぞる順序を定めたジェスチャパターン等が考えられる。本実施の形態では、指定された情報の一例として、登録確認情報を用いている。
【００３７】
登録確認情報比較部２８は、登録確認情報生成部２７により生成された登録確認情報と、近距離受信部２６により受信された登録確認情報とを比較する。そして、これらの登録確認情報が一致する場合は、ネットワーク送信部２３に対し、操作受付部２１が受け付けた認証情報と近距離受信部２６が受信した端末識別情報とを関連付けることにより携帯端末３０を登録することを要求する端末登録要求を認証サーバ５０に送信するように指示する。
【００３８】
端末識別情報比較部２９は、ネットワーク受信部２４により受信された端末識別情報と、近距離受信部２６により受信された端末識別情報とを比較する。そして、これらの端末識別情報が一致する場合は、表示制御部２２に対し、近距離受信部２６が受信された端末名を操作パネル１５（図２参照）に表示するように指示する。
【００３９】
画像取得部２００は、画像読取部１６（図２参照）により読み取られたスキャンデータを取得し、近距離送信部２５に対し、このスキャンデータを携帯端末３０に送信するように指示する。
【００４０】
［画像記憶装置の機能構成］
図６は、本実施の形態における画像記憶装置４０の機能構成例を示したブロック図である。ここで、画像記憶装置４０は、携帯端末３０のＣＰＵ３１（図３参照）が、後述する各機能部を実現するプログラムを例えばＲＯＭ３３（図３参照）からＲＡＭ３２（図３参照）に読み込んで実行することにより、実現される装置として捉えられる。
【００４１】
図示するように、画像記憶装置４０は、操作受付部４１と、表示制御部４２と、近距離送信部４５と、近距離受信部４６とを備える。また、端末名記憶部４７と、端末名取得部４８と、画像記憶部４９とを備える。
【００４２】
操作受付部４１は、ユーザが携帯端末３０に対して何らかの操作を行うと、その操作を受け付け、各機能部に対し、その操作に応じた処理を指示する。例えば、ユーザがタッチパネル３４（図３参照）に表示された登録要求通知をタップする操作を行うと、表示制御部４２に対し、登録確認情報を入力するための登録確認情報入力画面（例えばＰＩＮコードを入力したりジェスチャパターンでなぞったりするための画面）を表示する処理を指示する。また、ユーザが登録確認情報入力画面から登録確認情報を入力する操作を行うと、近距離送信部４５に対し、登録確認情報を画像読取装置１０に送信する処理を指示する。
【００４３】
表示制御部４２は、タッチパネル３４（図３参照）に対する各種情報の表示を制御する。ここで、各種情報としては、携帯端末３０の登録が要求されていることを通知する登録要求通知、登録確認情報を入力するための登録確認情報入力画面等がある。
【００４４】
近距離送信部４５は、画像読取装置１０に対して、各種情報を送信する。ここで、各種情報としては、携帯端末３０の端末名や端末識別情報、登録確認情報入力画面から入力された登録確認情報等がある。
【００４５】
近距離受信部４６は、画像読取装置１０から、各種情報を受信する。ここで、各種情報としては、近距離通信のブロードキャスト通信の信号、携帯端末３０の登録が要求されていることを通知する登録要求通知、画像読取装置１０で原稿をスキャンして得られたスキャンデータ等がある。
【００４６】
端末名記憶部４７は、携帯端末３０の端末名を記憶する。
【００４７】
端末名取得部４８は、近距離受信部４６が画像読取装置１０から近距離通信のブロードキャスト通信の信号を受信すると、端末名記憶部４７から携帯端末３０の端末名を取得し、近距離送信部４５に受け渡す。
【００４８】
［情報記憶装置の機能構成］
図７は、本実施の形態における情報記憶装置６０の機能構成例を示したブロック図である。ここで、情報記憶装置６０は、認証サーバ５０のＣＰＵ５１（図４参照）が、後述する各機能部を実現するプログラムを例えばＨＤＤ５３（図４参照）からメインメモリ５２（図４参照）に読み込んで実行することにより、実現される装置として捉えられる。
【００４９】
図示するように、情報記憶装置６０は、ネットワーク送信部６３と、ネットワーク受信部６４と、関連付け情報記憶部６７と、関連付け情報管理部６８とを備える。
【００５０】
ネットワーク送信部６３は、画像読取装置１０に対して、各種情報を送信する。ここで、各種情報としては、ユーザの認証が要求された際の認証成功、端末登録要求を受信した際の登録完了、携帯端末３０の端末識別情報の送信が要求された際の認証成功及び端末識別情報等がある。
【００５１】
ネットワーク受信部６４は、画像読取装置１０から、各種情報を受信する。ここで、各種情報としては、ユーザの認証を要求するため又は携帯端末３０の端末識別情報の取得を要求するためのユーザの認証情報、携帯端末３０を認証サーバ５０に登録することを要求する端末登録要求等がある。
【００５２】
関連付け情報記憶部６７は、ユーザの認証情報とそのユーザがスキャンデータを記憶するために使用する携帯端末３０の端末識別情報とを関連付けた情報（以下、「関連付け情報」という）を記憶する。この関連付け情報は、携帯端末３０の端末識別情報が関連付けられていなくても、ユーザの認証情報は含むので、ユーザを認証するためにも用いられる。
【００５３】
関連付け情報管理部６８は、ユーザの認証を要求するために送信されたユーザの認証情報がネットワーク受信部６４により受信されると、この認証情報が関連付け情報記憶部６７に記憶されているかどうかを判定し、記憶されていれば、認証成功をネットワーク送信部６３に伝える。また、携帯端末３０の登録を要求する端末登録要求として送信されたユーザの認証情報と携帯端末３０の端末識別情報とがネットワーク受信部６４により受信されると、この認証情報と端末識別情報とを関連付けた関連付け情報を関連付け情報記憶部６７に記憶する。更に、携帯端末３０の端末識別情報の取得を要求するために送信されたユーザの認証情報がネットワーク受信部６４により受信されると、関連付け情報記憶部６７に記憶された関連付け情報においてこの認証情報に関連付けられた端末識別情報を取得し、この端末識別情報をネットワーク送信部６３に伝える。本実施の形態では、操作者を識別する操作者識別情報の一例として、ユーザの認証情報を用いており、端末装置を識別する装置識別情報の一例として、携帯端末３０の端末識別情報を用いている。
【００５４】
［画像読取システムの動作］
図８−１及び図８−２は、画像読取装置１０が携帯端末３０を認証サーバ５０に登録する際の動作例を示したシーケンス図である。
【００５５】
図８−１に示すように、まず、ユーザは、携帯端末３０の電源をＯＮにし、アプリを待機状態にする（ステップ７０１）。具体的には、ユーザがアプリを起動させると、携帯端末３０が、端末名取得部４８、画像記憶部４９等を実行可能な状態とする。
【００５６】
次に、ユーザは、画像読取装置１０に認証情報を入力する（ステップ７０２）。具体的には、ユーザが、画像読取装置１０の操作パネル１５に手入力することにより、又は、画像読取装置１０のカードリーダに認証用のＩＣカードをかざすことにより、認証情報を入力すると、画像読取装置１０では、操作受付部２１が、認証情報の入力を受け付ける。
【００５７】
これにより、画像読取装置１０は、ユーザの認証を要求するために、認証サーバ５０に認証情報を送信する（ステップ７０３）。具体的には、画像読取装置１０で、ネットワーク送信部２３が、認証情報を認証サーバ５０に送信すると、認証サーバ５０では、ネットワーク受信部６４が、画像読取装置１０から認証情報を受信し、関連付け情報管理部６８が、関連付け情報記憶部６７に記憶された関連付け情報を参照してユーザの認証を行う。ここで、ユーザの認証が失敗すると、処理はステップ７０２に戻る。一方、ユーザの認証が成功すると、認証サーバ５０は、認証成功を画像読取装置１０に通知する（ステップ７０４）。具体的には、関連付け情報管理部６８が、認証成功をネットワーク送信部６３に伝え、ネットワーク送信部６３が、認証成功を画像読取装置１０に送信する。
【００５８】
次に、ユーザは、画像読取装置１０の操作パネル１５に表示されたメニューから「携帯端末登録」アイコンを選択して端末登録画面を開く（ステップ７０５）。具体的には、ユーザが「携帯端末登録」アイコンを押下すると、画像読取装置１０では、操作受付部２１が、「携帯端末登録」アイコンの押下を受け付け、表示制御部２２が、端末登録画面を操作パネル１５に表示するように制御する。
【００５９】
これにより、画像読取装置１０は、近距離通信のブロードキャスト通信（例えば、ＢＬＥのブロードキャスト通信）を開始する（ステップ７０６）。具体的には、近距離送信部２５が、近距離通信のブロードキャスト通信の信号を送信する。
【００６０】
その後、画像読取装置１０のブロードキャスト通信を受信した複数の携帯端末３０のそれぞれは、画像読取装置１０と一対一の通信（例えば、ＢＬＥのコネクション通信）を確立し、その端末名を送信する（ステップ７０７）。具体的には、端末名取得部４８が、端末名記憶部４７に記憶された端末名を取得し、近距離送信部４５が、この端末名を画像読取装置１０に送信する。また、画像読取装置１０は、この一対一の通信を確立することによって、携帯端末３０の端末識別情報（例えば、ＢＤアドレス）を取得するものとする。
【００６１】
これにより、画像読取装置１０は、予め定められた時間が経過した後に、端末名一覧を操作パネル１５に表示する（ステップ７０８）。具体的には、近距離受信部２６が、複数の携帯端末３０から端末名を受信し、表示制御部２２が、受信した端末名を含む端末名一覧を操作パネル１５に表示するように制御する。
【００６２】
尚、携帯端末３０は、ステップ７０７で、端末名を送信せず、応答信号のみを送信してもよい。この場合、画像読取装置１０は、ステップ７０７で取得した携帯端末３０の端末識別情報（例えば、ＢＤアドレス）の一覧を、ステップ７０８で操作パネル１５に表示するとよい。但し、以下では、ステップ７０７で端末名を送信し、ステップ７０８で端末名一覧を表示するものとして説明する。
【００６３】
次いで、ユーザは、端末名一覧から、登録する携帯端末３０の端末名を選択する（ステップ７０９）。具体的には、ユーザが端末名を選択すると、画像読取装置１０では、操作受付部２１が、端末名の選択を受け付ける。
【００６４】
尚、ステップ７０７で応答した携帯端末３０が１台のみである場合、画像読取装置１０は、ステップ７０８及びステップ７０９を実行しなくてもよい。
【００６５】
これにより、画像読取装置１０は、登録確認情報を生成し、操作パネル１５に表示する（ステップ７１０）。具体的には、登録確認情報生成部２７が、登録確認情報を生成し、表示制御部２２が、登録確認情報を操作パネル１５に表示するように制御する。
【００６６】
また、画像読取装置１０は、ステップ７０９で選択された携帯端末３０に、登録要求通知を、近距離通信のコネクション通信（例えば、ＢＬＥのコネクション通信）で送信する（ステップ７１１）。具体的には、近距離送信部２５が、操作受付部２１により選択を受け付けた端末名の携帯端末３０に、登録要求通知を送信する。
【００６７】
ステップ７０９で選択された携帯端末３０は、登録要求通知を受信すると、画面に登録要求通知を表示する（ステップ７１２）。具体的には、近距離受信部４６が、登録要求通知を受信し、表示制御部４２が、登録要求通知をタッチパネル３４に表示するように制御する。
【００６８】
続いて、図８−２に示すように、ユーザは、携帯端末３０に表示された登録要求通知をタップする（ステップ７１３）。これにより、携帯端末３０は、登録確認情報入力画面をタッチパネル３４に表示する（ステップ７１４）。具体的には、ユーザが登録要求通知をタップすると、携帯端末３０では、操作受付部４１が、このタップを受け付け、表示制御部４２が、登録確認情報入力画面をタッチパネル３４に表示するように制御する。
【００６９】
次に、ユーザは、携帯端末３０に登録確認情報を入力する（ステップ７１５）。具体的には、ユーザが携帯端末３０のタッチパネル３４に表示された登録確認情報入力画面上でＰＩＮコードに対応するキーを押下したりジェスチャパターンでなぞったりすることにより登録確認情報を入力すると、携帯端末３０では、操作受付部４１が、登録確認情報の入力を受け付ける。これにより、携帯端末３０は、登録確認情報を、画像読取装置１０に、近距離通信のコネクション通信（例えば、ＢＬＥのコネクション通信）で送信する（ステップ７１６）。具体的には、近距離送信部４５が、操作受付部４１にて入力を受け付けた登録確認情報を画像読取装置１０に送信する。
【００７０】
画像読取装置１０は、登録確認情報を受信すると、受信した登録確認情報とステップ７１０で生成した登録確認情報とを比較する（ステップ７１７）。具体的には、近距離受信部２６が、登録確認情報を受信し、登録確認情報比較部２８が、近距離受信部２６により受信された登録確認情報と、登録確認情報生成部２７により生成された登録確認情報とを比較する。
【００７１】
これらの登録確認情報が一致した場合、画像読取装置１０は、この携帯端末３０を登録対象の携帯端末３０として特定する。そして、この携帯端末３０の登録を要求する情報であって、ステップ７０２で受け付けた認証情報と、ステップ７０７で近距離通信のコネクション通信を確立した際に取得した携帯端末３０の端末識別情報とを含む情報である端末登録要求を認証サーバ５０に送信する（ステップ７１８）。具体的には、登録確認情報比較部２８が、近距離受信部２６により受信された登録確認情報と登録確認情報生成部２７により生成された登録確認情報とが一致すると判定した場合は、ネットワーク送信部２３が、操作受付部２１にて入力を受け付けた認証情報と、近距離受信部２６により受信されたこの携帯端末３０の端末識別情報とを、認証サーバ５０に送信する。一方、登録確認情報比較部２８が、近距離受信部２６により受信された登録確認情報と登録確認情報生成部２７により生成された登録確認情報とが一致しないと判定した場合は、表示制御部２２が、エラーメッセージを操作パネル１５に表示するように制御する。
【００７２】
その後、認証サーバ５０は、認証情報と端末識別情報とを受信し、これらを関連付けて登録し、画像読取装置１０に登録完了を通知する（ステップ７１９）。具体的には、ネットワーク受信部６４が、認証情報と端末識別情報とを受信し、関連付け情報管理部６８が、認証情報と端末識別情報とを関連付けた関連付け情報を関連付け情報記憶部６７に記憶し、ネットワーク送信部６３が、携帯端末３０の登録完了を画像読取装置１０に送信する。
【００７３】
これにより、画像読取装置１０は、登録完了を操作パネル１５に表示する（ステップ７２０）。具体的には、ネットワーク受信部２４が、携帯端末３０の登録完了を認証サーバ５０から受信し、表示制御部２２が、携帯端末３０の登録完了を操作パネル１５に表示するように制御する。
【００７４】
尚、この動作例では、ステップ７１１で、画像読取装置１０が登録要求通知のみを携帯端末３０に送信したが、この限りではない。画像読取装置１０が、登録要求通知と共に、ステップ７１０で生成した登録確認情報を、携帯端末３０に送信するようにしてもよい。この場合は、画像読取装置１０が登録確認情報を比較するのではなく、携帯端末３０が、画像読取装置１０から送信された登録確認情報と、ステップ７１５でユーザにより入力された登録確認情報とを比較し、これらが一致した場合に登録許可の旨を画像読取装置１０に送信するとよい。
【００７５】
図９は、画像読取装置１０がスキャンした画像を携帯端末３０に記憶する際の動作例を示したシーケンス図である。
【００７６】
図９に示すように、まず、ユーザは、携帯端末３０の電源をＯＮにし、アプリを待機状態にする（ステップ７５１）。具体的には、ユーザがアプリを起動させると、携帯端末３０が、端末名取得部４８、画像記憶部４９等を実行可能な状態とする。
【００７７】
次に、ユーザは、画像読取装置１０に認証情報を入力する（ステップ７５２）。具体的には、ユーザが、画像読取装置１０の操作パネル１５に手入力することにより、又は、画像読取装置１０のカードリーダに認証用のＩＣカードをかざすことにより、認証情報を入力すると、画像読取装置１０では、操作受付部２１が、認証情報の入力を受け付ける。
【００７８】
これにより、画像読取装置１０は、携帯端末３０の端末識別情報（例えば、ＢＤアドレス）の取得を要求するために、認証サーバ５０に認証情報を送信する（ステップ７５３）。具体的には、画像読取装置１０で、ネットワーク送信部２３が、認証情報を認証サーバ５０に送信すると、認証サーバ５０では、ネットワーク受信部６４が、画像読取装置１０から認証情報を受信し、関連付け情報管理部６８が、関連付け情報記憶部６７に記憶された関連付け情報を参照してユーザの認証を行う。ここで、ユーザの認証が失敗すると、処理はステップ７５２に戻る。
【００７９】
一方、ユーザの認証が成功すると、認証サーバ５０は、認証成功と、認証情報に関連付けて登録された携帯端末３０の端末識別情報（例えば、ＢＤアドレス）とを、画像読取装置１０に通知する（ステップ７５４）。具体的には、関連付け情報管理部６８が、関連付け情報記憶部６７に記憶された関連付け情報において認証情報に関連付けられた携帯端末３０の端末識別情報を取得して、認証成功とこの端末識別情報とをネットワーク送信部６３に伝え、ネットワーク送信部６３が、認証成功と端末識別情報とを画像読取装置１０に送信する。
【００８０】
次に、ユーザは、画像読取装置１０の操作パネル１５で「スキャン」アイコンを選択してスキャン画面を開く（ステップ７５５）。具体的には、ユーザが「スキャン」アイコンを押下すると、画像読取装置１０では、操作受付部２１が、「スキャン」アイコンの押下を受け付け、表示制御部２２が、スキャン画面を操作パネル１５に表示するように制御する。
【００８１】
これにより、画像読取装置１０は、近距離通信のブロードキャスト通信（例えば、ＢＬＥのブロードキャスト通信）を開始する（ステップ７５６）。具体的には、近距離送信部２５が、近距離通信のブロードキャスト通信の信号を送信する。
【００８２】
その後、画像読取装置１０のブロードキャスト通信を受信した複数の携帯端末３０のそれぞれは、画像読取装置１０と一対一の通信（例えば、ＢＬＥのコネクション通信）を確立し、その端末名を送信する（ステップ７５７）。具体的には、端末名取得部４８が、端末名記憶部４７に記憶された端末名を取得し、近距離送信部４５が、この端末名を画像読取装置１０に送信する。また、画像読取装置１０は、この一対一の通信を確立することによって、携帯端末３０の端末識別情報（例えば、ＢＤアドレス）を取得するものとする。
【００８３】
これにより、画像読取装置１０は、予め定められた時間が経過した後に、ステップ７５４で通知された携帯端末３０の端末識別情報（例えば、ＢＤアドレス）と、ステップ７５７で応答した携帯端末３０の端末識別情報（例えば、ＢＤアドレス）とを比較する（ステップ７５８）。具体的には、端末識別情報比較部２９が、ネットワーク受信部２４により受信された端末識別情報と、近距離受信部２６により受信された端末識別情報とを比較する。
【００８４】
これらの端末識別情報（例えば、ＢＤアドレス）が一致した場合、画像読取装置１０は、この携帯端末３０を送信先の携帯端末３０として特定する。そして、この携帯端末３０の端末名である送信先端末名を操作パネル１５に表示する（ステップ７５９）。具体的には、端末識別情報比較部２９が、ネットワーク受信部２４により受信された端末識別情報と近距離受信部２６により受信された端末識別情報とが一致すると判定した場合は、表示制御部２２が、近距離受信部２６により受信された端末名を操作パネル１５に表示するように制御する。一方、端末識別情報比較部２９が、ネットワーク受信部２４により受信された端末識別情報と近距離受信部２６により受信された端末識別情報とが一致しないと判定した場合は、表示制御部２２が、エラーメッセージを操作パネル１５に表示するように制御する。
【００８５】
尚、携帯端末３０は、ステップ７５７で、端末名を送信せず、応答信号のみを送信してもよい。この場合、画像読取装置１０は、ステップ７５４で通知された携帯端末３０の端末識別情報（例えば、ＢＤアドレス）と、ステップ７５７で取得した携帯端末３０の端末識別情報（例えば、ＢＤアドレス）とが一致すれば、その端末識別情報（例えば、ＢＤアドレス）を、ステップ７５９で操作パネル１５に表示するとよい。
【００８６】
次いで、ユーザは、表示された端末名を確認した後、画像読取装置１０に原稿をセットして、パラメータを設定し、スタートボタンを押下する（ステップ７６０）。具体的には、ユーザがスタートボタンを押下すると、画像読取装置１０では、操作受付部２１が、スタートボタンの押下を受け付ける。
【００８７】
これにより、画像読取装置１０は、原稿のスキャンを実行する（ステップ７６１）。具体的には、画像読取部１６が、原稿から画像を読み取る。そして、画像読取装置１０は、スキャンデータを、送信先の携帯端末３０に送信する（ステップ７６２）。具体的には、画像取得部２００が、画像読取部１６により読み取られた画像をスキャンデータとして取得し、近距離送信部２５が、操作パネル１５に端末名が表示された携帯端末３０の端末識別情報を用いて、スキャンデータを送信先の携帯端末３０に送信する。
【００８８】
携帯端末３０は、画像読取装置１０からスキャンデータを受信して記憶し、記憶が完了すると、記憶完了をユーザに通知する（ステップ７６３）。具体的には、近距離受信部４６が、画像読取装置１０からスキャンデータを受信し、画像記憶部４９が、スキャンデータを記憶する。そして、例えば、音声出力機構３６がスピーカから音声を出力したり、バイブレーション機能（図示せず）が携帯端末３０を振動させたりすることにより、スキャンデータの記憶完了をユーザに通知する。或いは、携帯端末３０と連動しているウェアラブル端末の画面で記憶完了を通知してもよい。
【００８９】
尚、この動作例では、ステップ７５７で、携帯端末３０が端末名のみを画像読取装置１０に送信したが、この限りではない。１人のユーザの認証情報に関連付けて複数の携帯端末３０の端末識別情報が登録されるシステムにおいては、携帯端末３０が、端末名と共に、ステップ７５６で受信したＢＬＥブロードキャスト通信の受信信号強度（ＲＳＳＩ）を、画像読取装置１０に送信するようにしてもよい。この場合は、ステップ７５８で１台の携帯端末３０を特定できなければ、画像読取装置１０は、ＲＳＳＩが最も大きい携帯端末３０を送信先の携帯端末３０として特定するとよい。
【００９０】
また、この動作例では、ステップ７５９で、携帯端末３０が、１つの送信先端末名のみを操作パネル１５に表示したが、この限りではない。１人のユーザの認証情報に関連付けて複数の携帯端末３０の端末識別情報が登録されるシステムにおいては、携帯端末３０が、予め定められた時間内に応答した携帯端末３０の端末名一覧を操作パネル１５に表示し、ユーザに送信先端末名を選択させてもよい。
【００９１】
ここでは、１人のユーザの認証情報に関連付けて複数の携帯端末３０の端末識別情報が登録された場合における１台の携帯端末３０の特定するための条件として、ＲＳＳＩが最も大きいことや、ユーザにより選択されたことを用いたが、これ以外の条件を用いてもよい。即ち、ＲＳＳＩが最も大きいことや、ユーザにより選択されたことは、端末装置が情報処理装置の最も近くに存在することを示す条件の一例である。
【００９２】
ところで、本実施の形態では、画像読取装置１０が画像読取部１６で読み取られたスキャンデータを近距離通信で携帯端末３０に送信する場合に適用した例について示したが、この限りではない。例えば、画像読取装置１０が予めＨＤＤ１４に保存しておいた画像データを近距離通信で携帯端末３０に送信する場合に適用してもよい。或いは、携帯端末３０が予め保存しておいたプリントデータを画像読取装置１０が受信する場合に適用してもよい。この場合、プリントデータは、画像処理で用いられる画像データの一例であり、画像形成部１７（図２参照）は、画像処理手段の一例である。
【００９３】
また、このような画像データの送信には、ＢＬＥではなく、より高速なクラシックＢｌｕｅｔｏｏｔｈ（登録商標）やＷｉ−Ｆｉ Ｄｉｒｅｃｔ（登録商標）を用いてもよい。一方で、これらの接続を確立するのに必要なアドレス等はＢＬＥコネクション通信で送信するとよい。
【００９４】
更に、本実施の形態では、認証サーバ５０を用いてユーザの認証を行い、携帯端末３０の端末識別情報をユーザの認証情報に関連付けて認証サーバ５０に登録することとしたが、認証サーバ５０を用いない構成も考えられる。即ち、画像読取装置１０がユーザＩＤ及びパスワードを保持しておき、画像読取装置１０は、自装置内でユーザの認証を行い、携帯端末３０の端末識別情報をユーザの認証情報に関連付けて自装置に登録してもよい。
【００９５】
更にまた、本実施の形態では、１台の認証サーバ５０に対して１台の画像読取装置１０を設けたが、１台の認証サーバ５０を複数の画像読取装置１０で共有する構成を採用してもよい。また、本実施の形態における画像読取装置１０は、ＰＣ等の情報処理装置であってもよい。
【００９６】
［プログラム］
本実施の形態における情報処理装置２０が行う処理は、例えば、アプリケーションソフトウェア等のプログラムとして用意される。
【００９７】
即ち、本実施の形態を実現するプログラムは、コンピュータに、複数の操作者の各操作者が操作する端末装置を、各操作者に関連付けて、自装置又は他の装置に登録する機能と、特定の操作者による処理の指示に応じて、特定の操作者に関連付けて登録された特定の端末装置と近距離通信を行うことにより、処理を行う機能とを実現させるためのプログラムとして捉えられる。
【００９８】
尚、本実施の形態を実現するプログラムは、通信手段により提供することはもちろん、ＣＤ−ＲＯＭ等の記録媒体に格納して提供することも可能である。
【符号の説明】
【００９９】
１０…画像読取装置、２０…情報処理装置、２１，４１…操作受付部、２２，４２…表示制御部、２３，６３…ネットワーク送信部、２４，６４…ネットワーク受信部、２５，４５…近距離送信部、２６，４６…近距離受信部、２７…登録確認情報生成部、２８…登録確認情報比較部、２９…端末識別情報比較部、２００…画像取得部、３０…携帯端末、４０…画像記憶装置、４７…端末名記憶部、４８…端末名取得部、４９…画像記憶部、５０…認証サーバ、６０…情報記憶装置、６７…関連付け情報記憶部、６８…関連付け情報管理部、８０…通信回線
【図１】
0006766469.tif 000002
【図２】
0006766469.tif 000003
【図３】
0006766469.tif 000004
【図４】
0006766469.tif 000005
【図５】
0006766469.tif 000006
【図６】
0006766469.tif 000007
【図７】
0006766469.tif 000008
【図８−１】
0006766469.tif 000009
【図８−２】
0006766469.tif 000010
【図９】
0006766469.tif 000011